(57)【要約】【課題】  建材を木炭としてリサイクルする場合の安全性が従来よりも高いリサイクル方法を提供しようとするもの。【解決手段】  重金属を含有する塗料が付着した建材を炭化して木炭とし、前記木炭に残留する重金属を重金属吸着剤に吸着させて固定するようにした。重金属を含有する塗料が付着した建材を炭化した木炭に残留する重金属を重金属吸着剤に吸着させて固定するようにしたので、炭化しても木炭に残留する（塗料の防腐処理剤中の）銅やクロムなどの重金属を重金属吸着剤で固定することによって無力化（固定による安定化により安全化）することができる。【選択図】  なし【特許請求の範囲】
【請求項１】
重金属を含有する塗料が付着した建材を炭化して木炭とし、前記木炭に残留する重金属を重金属吸着剤に吸着させて固定するようにしたことを特徴とする建材のリサイクル方法。
【請求項２】
前記重金属吸着剤としてポリフェノールを用いた請求項１記載の建材のリサイクル方法。
【請求項３】
前記重金属吸着剤としてトロポロン類を用いた請求項１記載の建材のリサイクル方法。
【請求項４】
前記重金属吸着剤として錯体形成能のある１，２−ケトオール、１，３−ケトオール、１，２−ジケトン、１，３−ジケトンを部分構造に有する化合物を用いた請求項１記載の建材のリサイクル方法。
【請求項５】
前記木炭について重金属を吸着した重金属吸着剤を酸性雰囲気中に溶出させて除去するようにした請求項１乃至４のいずれかに記載の建材のリサイクル方法。
【請求項６】
請求項１乃至５のいずれかに記載の建材のリサイクル方法により製造された木炭。
【発明の詳細な説明】
【技術分野】
【０００１】
この発明は、建材のリサイクル方法に関するものである。
【背景技術】
【０００２】
建材に塗装される塗料には、防腐その他の目的で重金属（銅（Ｃｕ）、クロム（Ｃｒ）など）が含有されていた（例えば、非特許文献１参照）。
【０００３】
ところで、環境保全の観点等から不要になった建材をリサイクルして有効利用することができれば好ましい。このため、使用済みの建材を蒸し焼きにして炭化し木炭を得ることが考えられる。
【０００４】
しかし、再利用する建材には前記のように重金属が含まれた塗料が付着している場合が多く、この重金属は体に悪影響を与える可能性があるものと考えられ、木炭としてリサイクルする場合の安全性に疑問が残るという問題があった。
【非特許文献１】建築設計手法研究会ホームページ、“８章：自然建材について  ４．塗料”、[online]、 [2004/1/21検索]、インターネット＜ＵＲＬ：http://users.arcmedia.co.jp/eco/100/08/8-4.htm＞
【発明の開示】
【発明が解決しようとする課題】
【０００５】
そこでこの発明は、建材を木炭としてリサイクルする場合の安全性が従来よりも高いリサイクル方法を提供しようとするものである。
【課題を解決するための手段】
【０００６】
前記課題を解決するためこの発明では次のような技術的手段を講じている。
【０００７】
(１)この発明の建材のリサイクル方法は、重金属を含有する塗料が付着した建材を炭化して木炭とし、前記木炭に残留する重金属を重金属吸着剤に吸着させて固定するようにしたことを特徴とする。
【０００８】
この建材のリサイクル方法では、重金属を含有する塗料が付着した建材を炭化した木炭に残留する重金属を重金属吸着剤に吸着させて固定するようにしたので、炭化しても木炭に残留する（塗料の防腐処理剤中の）銅やクロムなどの重金属を重金属吸着剤で固定することによって無力化（固定による安定化により安全化）することができる。
【０００９】
（２）前記重金属吸着剤としてポリフェノールを用いたこととしてもよい。前記ポリフェノールとして、カテキン類（ピロカテキンその他）やフラボノイド、タンニンなどを用いることができる。ポリフェノールは天然物であり、環境にやさしい。また、カテキン類やタンニン、フラボノイドは樹木をはじめとした植物に広く分布し、容易に抽出可能であり量的にも容易に得ることができる。
【００１０】
このように構成すると、ポリフェノールの水酸基（OH）が隣り合わせ、又はカルボニル基（C＝O）と水酸基が隣り合わせで、あるいはその間に重金属が入ったときに5員環や6員環となって安定した錯体を作りやすく重金属を吸着し易い。
【００１１】
またポリフェノールはフェノール性水酸基に起因する抗菌性、殺虫性を有するため、湿り気のある場所に木炭を貯蔵した場合に繁殖しやすい糸状菌等の付着、繁殖を防ぐことができ、木炭の長期保存を可能とする。その上ポリフェノールと重金属との反応生成物は、前記糸状菌等の抑制効果を向上させることが可能である。
【００１２】
さらに、ポリフェノールとしてカテキン類やタンニンを用いると、これらは水に易溶であるので取り扱いが容易であり、特別な有機溶剤を使用することなく水溶液として容易に重金属を含む木炭に注入することができる。
【００１３】
（３）前記重金属吸着剤としてトロポロン類（ヒノキチオールなど）を用いたこととしてもよい。トロポロン類は天然物であり、環境にやさしい。
【００１４】
このように構成すると、トロポロン類は隣り合わせにカルボニル基と水酸基を持っており、重金属と強い錯体を形成して重金属を吸着する力が大である。
【００１５】
またトロポロン類はフェノール性水酸基に起因する抗菌性、殺虫性を有するため、湿り気のある場所に木炭を貯蔵した場合に繁殖しやすい糸状菌等の付着、繁殖を防ぐことができ、木炭の長期保存を可能とする。その上ポリフェノールと重金属との反応生成物は、前記糸状菌等の抑制効果を向上させることが可能である。
【００１６】
（４）前記重金属吸着剤として錯体形成能のある１，２−ケトオール、１，３−ケトオール、１，２−ジケトン、１，３−ジケトンを部分構造に有する化合物を用いたこととしてもよい。
【００１７】
このように構成すると、重金属と強い錯体を形成して重金属を吸着する力が大であるという利点がある。
【００１８】
(５) 前記木炭について重金属を吸着した重金属吸着剤を酸性雰囲気中に溶出させて除去するようにしたこととしてもよい。
【００１９】
このように構成すると、重金属を吸着した重金属吸着剤を木炭から除去して無害化して安全性がより高いものとすることができる。
【００２０】
したがって、木炭を埋め立てなどに利用する場合は安全化や無害化などの中間処理したものでなければならないところ（中間処理することができない有害物質は管理型廃棄物処理場に貯蔵する必要がある）、この木炭は埋め立てなどにも再利用することができる。
【００２１】
また、重金属が付着した建材を産業廃棄物として移動する場合には移送の際の減量化、安定化、安全化、無害化を図ることが必要とされるところ、この木炭は前記の条件を満たしたものとして移送することができる。
【００２２】
(６) 前記建材のリサイクル方法により製造された木炭は従来はないものである。
【００２３】
前記（１）乃至（５）記載の建材のリサイクル方法により製造された木炭を土質改良剤や石膏ボードに混ぜると、有害ガスを吸着させたり調湿剤としての効用を発揮させたりすることができる。
【００２４】
また前記（５）記載の建材のリサイクル方法により製造された木炭は重金属が除去されており、水の浄化に利用することができる。
【００２５】
(７)前記建材として、屋内用の建築材や屋外用の建築材を例示することができる。前記屋内用の建築材として、土台、大引、根太、床板、外壁、間柱、筋かい、胴縁、壁下地板、たる木、屋根下地板、浴室軸組材、浴室床組材、台所火掛部分、地下室用材などを例示することができる。屋外用の建築材として、バルコニー、テラス、物干台、ぬれ縁、フェンス、デッキ材等を例示することができる。また建材として、土木用材、公園用材、農業牧畜園芸用材などを例示することができる。このうち土木用材として、まくら木、電柱、基礎杭、道路用防風材、道路用防音材、橋梁、土留め材、港湾用材、ガードレールなどを例示することができる。公園用材として、木道、東屋、パーゴラ、樹木支柱、遊具、木レンガ、ベンチ、案内板などを例示することができる。農業牧畜園芸用材として、ビニールハウス、花壇枠、牧柵などを例示することができる。建材として、その他に梱包用材、コンテナ用材、冷却塔用材などを例示することができる。
【００２６】
具体的には、住宅や学校の基礎材や構造材や主要部分、ログハウス、トイレ、道路用防雪壁、デッキ＆チェア、電話ボックス、木橋、門扉、野鳥観測所、共同住宅、手洗い所、バルコニー、八つ橋、公園用木レンガ、住宅用木レンガ、丸太階段、東屋風ベンチ、土止め、標示板、ゴミ箱枠、樹木支柱、電柱、鉄道まくら木、フラワーポット（以上、主として木製のもの）を例示することができる。
【発明の効果】
【００２７】
この発明は上述のような構成であり、次の効果を有する。
【００２８】
重金属を重金属吸着剤で固定することによって無力化することができるので、建材を木炭としてリサイクルする場合の安全性が従来よりも高いリサイクル方法を提供することができる。
【発明を実施するための最良の形態】
【００２９】
以下、この発明の実施の形態を説明する。
（１）この実施形態の建材のリサイクル方法は、重金属を含有する塗料が付着した建材を炭化して木炭とし、前記木炭に残留する重金属を重金属吸着剤に吸着させて固定するようにした。
【００３０】
前記重金属吸着剤としてポリフェノールを用いたこととしてもよい。前記ポリフェノールとして、カテキン類（ピロカテキンその他）やフラボノイド、タンニンなどを用いることができる。ポリフェノールは天然物であり、環境にやさしい。また、カテキン類やタンニン、フラボノイドは樹木をはじめとした植物に広く分布し、容易に抽出可能であり量的にも容易に得ることができる。
【００３１】
このように構成すると、ポリフェノールの水酸基（OH）が隣り合わせ、又はカルボニル基（C＝O）と水酸基が隣り合わせで、あるいはその間に重金属が入ったときに5員環や6員環となって安定した錯体を作りやすく重金属を吸着し易い。
【００３２】
またポリフェノールはフェノール性水酸基に起因する抗菌性、殺虫性を有するため、湿り気のある場所に木炭を貯蔵した場合に繁殖しやすい糸状菌等の付着、繁殖を防ぐことができ、木炭の長期保存を可能とする。その上ポリフェノールと重金属との反応生成物は、前記糸状菌等の抑制効果を向上させることが可能である。
【００３３】
さらに、ポリフェノールとしてカテキン類やタンニンを用いると、これらは水に易溶であるので取り扱いが容易であり、特別な有機溶剤を使用することなく水溶液として容易に重金属を含む建材に注入することができる。
【００３４】
前記重金属吸着剤としてトロポロン類（ヒノキチオールなど）を用いたこととしてもよい。トロポロン類は天然物であり、環境にやさしい。
【００３５】
このように構成すると、トロポロン類は隣り合わせにカルボニル基と水酸基を持っており、重金属と強い錯体を形成して重金属を吸着する力が大である。
【００３６】
またトロポロン類はフェノール性水酸基に起因する抗菌性、殺虫性を有するため、湿り気のある場所に木炭を貯蔵した場合に繁殖しやすい糸状菌等の付着、繁殖を防ぐことができ、木炭の長期保存を可能とする。その上ポリフェノールと重金属との反応生成物は、前記糸状菌等の抑制効果を向上させることが可能である。
【００３７】
前記重金属吸着剤として錯体形成能のある１，２−ケトオール、１，３−ケトオール、１，２−ジケトン、１，３−ジケトンを部分構造に有する化合物を用いると重金属と強い錯体を形成して重金属を吸着する力が大であるという利点がある。
（２）前記木炭について重金属を吸着した重金属吸着剤を酸性雰囲気中に溶出させて除去するようにすることもできる。
【００３８】
前記建材として、屋内用の建築材や屋外用の建築材を例示することができる。前記屋内用の建築材として、土台、大引、根太、床板、外壁、間柱、筋かい、胴縁、壁下地板、たる木、屋根下地板、浴室軸組材、浴室床組材、台所火掛部分、地下室用材などを例示することができる。屋外用の建築材として、バルコニー、テラス、物干台、ぬれ縁、フェンス、デッキ材等を例示することができる。また建材として、土木用材、公園用材、農業牧畜園芸用材などを例示することができる。このうち土木用材として、まくら木、電柱、基礎杭、道路用防風材、道路用防音材、橋梁、土留め材、港湾用材、ガードレールなどを例示することができる。公園用材として、木道、東屋、パーゴラ、樹木支柱、遊具、木レンガ、ベンチ、案内板などを例示することができる。農業牧畜園芸用材として、ビニールハウス、花壇枠、牧柵などを例示することができる。建材として、その他に梱包用材、コンテナ用材、冷却塔用材などを例示することができる。
【００３９】
具体的には、住宅や学校の基礎材や構造材や主要部分、ログハウス、トイレ、道路用防雪壁、デッキ＆チェア、電話ボックス、木橋、門扉、野鳥観測所、共同住宅、手洗い所、バルコニー、八つ橋、公園用木レンガ、住宅用木レンガ、丸太階段、東屋風ベンチ、土止め、標示板、ゴミ箱枠、樹木支柱、電柱、鉄道まくら木、フラワーポット（以上、主として木製のもの）を例示することができる。
【００４０】
次に、この実施形態の建材のリサイクル方法の使用状態を説明する。
【００４１】
この建材のリサイクル方法では、重金属を含有する塗料が付着した建材を炭化した木炭に残留する重金属を重金属吸着剤（ポリフェノールなど）に吸着させて固定するようにしたので、炭化しても木炭に残留する（塗料の防腐処理剤中の）銅やクロムなどの重金属を重金属吸着剤で固定することによって無力化（固定による安定化により安全化）することができ、建材を木炭としてリサイクルする場合の安全性が従来よりも高いという利点がある。
【００４２】
また、前記木炭について重金属を吸着した重金属吸着剤を酸性雰囲気中に溶出させて除去するようにすると、重金属を吸着した重金属吸着剤を木炭から除去して無害化して安全性がより高いものとすることができるという利点がある。
【００４３】
したがって、木炭を埋め立てなどに利用する場合は安全化や無害化などの中間処理したものでなければならないところ（中間処理することができない有害物質は管理型廃棄物処理場に貯蔵する必要がある）、この木炭は埋め立てなどにも再利用することができる。また、重金属が付着した建材を産業廃棄物として移動する場合には移送の際の減量化、安定化、安全化、無害化を図ることが必要とされるところ、この木炭は前記の条件を満たしたものとして移送することができる。
【００４４】
上記（１）、（２）により製造された木炭を土質改良剤や石膏ボードに混ぜると、有害ガスを吸着させたり調湿剤としての効用を発揮させたりすることができる。
【００４５】
また上記（２）により製造された木炭は重金属が除去されており、水の浄化に利用することができる。
【産業上の利用可能性】
【００４６】
重金属が付着した建材を木炭としてリサイクルすることについて安全性が従来よりも高く、建材をリサイクルする種々の用途に適用することができる。